(57)【要約】【課題】  ローパーティションの筆記用表面板の下側に取付ける粉受けであって、パネル中桟にワンタッチで取付けることが出来る粉受けの提供。【解決手段】粉受け７は底部１２、該底部１２の正面側に立ち上がる正面部１３、及び底部１２の背面側に起立する背面部１４、そして底部下方へ垂下する垂下部１５が形成され、上記背面部１４には磁石１６，１６・・を取着し、該磁石１６，１６・・を介してホワイトボード６に取付けできる。【選択図】    図４
2006231732.tif 000002
【特許請求の範囲】
【請求項１】
ローパーティションの筆記用表面板の下側に取付ける粉受けにおいて、該粉受けは底部、該底部の正面側に立ち上がる正面部、及び底部の背面側に起立する背面部、そして底部下方へ垂下する垂下部が形成され、上記背面部には磁石を取着したことを特徴とするローパーティションの筆記用表面板の粉受け。
【請求項２】
上記背面部の上縁には上縁片を、下縁には下縁片を後方へ突出し、この上縁片と下縁片との間に磁石を嵌めて固定した請求項１記載のローパーティションの筆記用表面板の粉受け。
【請求項３】
底部上面には複数本の細い溝を長手方向に形成した請求項１、又は請求項２記載のローパーティションの筆記用表面板の粉受け。
【請求項４】
縦桟、上桟、下桟、及び中桟から成る枠体に筆記用表面板をパネル板として嵌めたパネルで構成するローパーティションにおいて、上記筆記用表面板の下側には粉受けを設け、該粉受けは、底部と正面部と背面部にて概略Ｕ形断面を形成し、底部下方へ垂下する垂下部、そして該背面部には磁石を取着して構成し、そして該粉受けはその底部を筆記用表面板から正面側へはみ出した中桟に載置すると共に、垂下部を中桟の正面に当接し、さらに磁石を筆記用表面板に吸着して取付けたたことを特徴とする筆記用表面板を備えたローパーティション。                                                                        
【発明の詳細な説明】
【技術分野】
【０００１】
本発明は黒板、ホワイトボード等の筆記用表面板の粉受け及び筆記用表面板を取付けたローパーティションに関するものである。
【背景技術】
【０００２】
オフィス内では会議や打ち合わせ時に使用するホワイトボードが用いられる場合が多く、脚を備えて起立するホワイトボードを設置したのでは空間の有効利用が出来ないことから間仕切パネルの一部がホワイトボードとして機能するように構成したものがある。起立タイプのホワイトボードの他には、壁面に吊設するタイプのものも使用されている。
【０００３】
特開２００５−２３５１３号に係る「パネル」は、オフィスなどにおけるインテリア設備の設置場所を有効に確保するようにしたものである。そこで、間仕切りに使用する為に、パネル本体を主体としてパネルを構成するに際して、パネル本体に格子を備え、この格子を利用してホワイトボードを取付けることが出来るようにしている。
【０００４】
一方、金属製パネルで構成される間仕切装置では、パネル面に磁石を介してホワイトボードを貼着する場合もある。特開２００４−１７３７５７号に係る「皿状磁石体」は、スチールパネルにある程度の重量があるホワイトボードを取付けることが出来るようにした磁石である。
【０００５】
このように、間仕切りパネルを利用してホワイトボードを取付けることは可能であるが、該ホワイトボードに文字や図形を書くためのチョークやマジックペンなどを置く受けが必要となる。又、文字や図形を書く際に発生する粉体の処理も問題となる。
【０００６】
実公平４−３３２９７号に係る「筆記用表面板付間仕切装置」は、黒板、ホワイトボード等の筆記用表面板を有し、支柱及び地レールの外面に取付けられた間仕切と、上面に粉受け用の凹溝を設けるとともに、背面上縁に間仕切の表面板下端内面と地レール外面間の間隙に挿入して取付ける為の取付け片を延設し、下面にアジャスターを設けてなる粉受け部とよりなる筆記用表面板付間仕切装置である。
【０００７】
そして筆記用表面板は芯材を有して間仕切り用パネルとしての機能も備えており、同公報の第２図に示しているように床から天井に届く大きな筆記用表面板が据付けられている。また、粉受け部はアジャスターにて適度な高さに支持された間仕切装置であり、該粉受け部は間仕切装置の下端床面に設けられている。従って、該粉受け部の支持構造の場合、間仕切装置の中間高さに粉受け部を備えることは出来ず、非常に大掛かりな装置であるために構造も複雑かしてコストも高く、オフィスによっては設置できない場合も多い。
【特許文献１】特開２００５−２３５１３号に係る「パネル」
【特許文献２】特開２００４−１７３７５７号に係る「皿状磁石体」
【特許文献３】実公平４−３３２９７号に係る「筆記用表面板付間仕切装置」
【発明の開示】
【発明が解決しようとする課題】
【０００８】
このように、筆記用表面板を取付けた従来の間仕切装置には上記のごとき問題がある。本発明が解決しようとする課題はこの問題点であり、粉受け及び該粉受けを簡単に取付けることが出来るローパーティションを提供する。
【課題を解決するための手段】
【０００９】
本発明に係るローパーティションのパネルは両縦桟と上桟及び下桟、そして中桟にて枠組みされた枠体にパネル板が嵌って取付けられている。そしてパネル下桟にはアジャスターネジが取付けられ、複数枚のパネルは縦桟間に繋ぎ材を介在して互いに連結される。本発明の粉受けはパネル枠体の中桟に載って取付けられる。
【００１０】
上記粉受けは概略Ｕ形断面の長尺材であって、底部と正面部及び背面部を有し、正面部は底部の正面側に起立すると共に背面部は背面側に起立している。そして、上記背面部には磁石が取付けられ、又、底部には垂下部が下方へ延びている。一方、底部上面には複数本の細い溝が長手方向に必要に応じて形成される。そこで、該粉受けは上記磁石を介して筆記用表面板に取付けられるが、表面板から正面側にはみ出している中桟上に底部を載置し、垂下部を中桟の正面に当接して位置決めされた状態で磁石にて固定される。
【発明の効果】
【００１１】
本発明に係るローパーティションはそのパネルのパネル板としてホワイトボードなどの筆記用表面板が用いられている為に、チョークなどの筆記具を用いて該パネル面に文字や図形を書くことが出来る。そして、この際に発生するチョーク粉やマーカー粉は粉受けで受けることが出来る。すなわち、ローパーティションの一部が筆記用板としての機能を備えている。
【００１２】
そして、該粉受けはその背面部に磁石を備えている為に、粉受けの底部を中桟に載置すると共に磁石を介して筆記用表面板にワンタッチで取付出来る。この場合、底部には垂下部を下方へ延ばしている為に、該垂下部は中桟の表面に当接することで正しく位置決めされると共に、支えとしても機能する為に、取付けた粉受けは安定する。
【実施例】
【００１３】
図１は本発明に係るローパーティションを構成するパネルを表している。該パネルは両縦桟１，１、上桟２、下桟３、及び中桟４，４が枠組みされた枠体にパネル板５，５、ホワイトボード６が嵌って構成している。各桟１，２，３・・には溝が設けられ、この溝にパネル板５及びホワイトボード６の端部が嵌入して取付けられている。そして、ホワイトボード６の下側中桟４には粉受け７が取付けられている。
【００１４】
図２は２枚のパネルを連結して構成したローパーティションの平面図、図３は縦断面図を表している。図２に示すように縦桟１，１の内面８，８には細幅の凹溝９，９が設けられ、この凹溝９，９にホワイトボード６の両側端が嵌っている。同じく上桟２の内面及び中桟４の内面にも同じ凹溝が形成され、ホワイトボード６の上端及び下端が嵌っている。パネル板５も同じく縦桟１，１、下桟３及び中桟４に設けられる凹溝に嵌って取付けられる。
【００１５】
下桟３の両端部にはアジャスターネジ１０，１０が取付けられて、パネルが傾くことなく適当な高さに支持される。そして、中桟４には粉受け７が取付けられている。この粉受け７は中桟４にワンタッチで取付けることが出来、不要な場合には取外し出来る。粉受け７は概略Ｕ形をした所定断面の長尺材であり、この両端にはキャップ１１，１１が冠着されている。
【００１６】
図４は粉受け７を単独で示しているように、底部１２、正面部１３、背面部１４、及び垂下部１５で形成され、正面部１３は底部１２の正面側に湾曲して立ち上がり、背面部１４は底部１２の背面側に垂直に起立している。そして、垂下部１5は底部１２の下方へ垂直に延びている。また、底部上面には複数本の溝１９，１９・・が長手方向に形成されている。
【００１７】
一方、背面部１４には磁石１６，１６・・が取着されているが、該磁石１６は背面部１４の上縁片１７と下縁片１８との間に嵌って固定されている。磁石１６の固定方法は限定しないが、両面テープを使うことも可能である。図５はこの粉受け７をパネルの中桟４に取付けた場合の断面を示している。中桟４の中央に設けた凹溝９にはホワイトボード６の下端が嵌って取付けられている為に、中桟４はホワイトボード面から正面側へはみ出している。
【００１８】
このはみ出した中桟４に底部１２が載置されていると共に、垂下部１５は中桟４の正面２０に当接する。そして背面部１４に固定した磁石１６はホワイトボード６に磁気力を介して密着している。すなわち、底部１２と垂下部１５とで中桟４に位置決めされた状態で磁石１６にて吸着される。従って、粉受け７はワンタッチでパネル中桟４に取付けることが出来、逆にワンタッチで取り外しすることが可能である。
【００１９】
ところで、ローパーティションのパネルに粉受け７を取付けることで、ホワイトボード６に文字などを書く際に使用されるチョークなどが置かれ、又文字を書く時に発生する粉末が落下して粉受け７に集まる。底部上面には細い溝１９，１９・・が長手方向に形成されていることで、底部１２に集まった粉末を除去する際に便利である。
【図面の簡単な説明】
【００２０】
【図１】ローパーティションを構成するパネル。
【図２】ローパーティションの横断面図。
【図３】ローパーティションの縦断面図。
【図４】粉受けの具体例。
【図５】粉受けを中桟に取付けた場合。
【符号の説明】
【００２１】
１  縦桟
２  上桟
３  下桟
４  中桟
５  パネル板
６  ホワイトボード
７  粉受け
８  内面
９  凹溝
10  アジャスターネジ
11  キャップ
12  底部
13  正面部
14  背面部
15  垂下部
16  磁石
17  上縁片
18  下縁片
19  溝
20  正面
【図１】
2006231732.tif 000003
【図２】
2006231732.tif 000004
【図３】
2006231732.tif 000005
【図４】
2006231732.tif 000006
【図５】
2006231732.tif 000007